(57)【要約】      （修正有）【課題】香りの発散時の面積がより大きく、空気が円滑に通過することができ、香りを迅速に発散するセラミック芳香片の提供。【解決手段】主に各種陶土の特性を利用して調合し、さらに温度を利用して制御することにより、ガラス化させずにセラミック片を薄板状に成形し、内部に多数の小通気孔を設け、大量のアロマオイルの吸収と香りの発散能力を形成すると共に、繰り返し使用でき、その表面に複数個の通気孔を開設し、さらに、通気孔間に、側面から見ると半円形を呈する導油槽を交錯させて形成する。【選択図】図２Ａ
0003107178.tif 000002
【実用新案登録請求の範囲】
【請求項１】
各種陶土の特性を利用して調合し、さらに温度を利用して制御することにより、陶土をガラス化させずに薄板状に成形して成るセラミック芳香片であって、その内部に多数の小通気孔を備え、該セラミック芳香片を貫通する複数個の通気孔を設け、アロマオイルを保持する構成とすることを特徴とする、セラミック芳香片。        
【請求項２】
前記通気孔の開口部を漏斗状に形成した、請求項１に記載のセラミック芳香片。
【請求項３】
前記通気孔の間に、側面から見ると半円形を呈する導油槽を交錯させて設けた、請求項１に記載のセラミック芳香片。
【考案の詳細な説明】
【技術分野】
【０００１】
セラミック芳香片であって、特に、エアコン送風口やファン等、通風のある箇所に設置し、アロマオイルの香りを発散するセラミック片であって、該セラミック片が少なくとも複数個の通気孔を備えた片状物である、セラミック芳香片に関する。
【背景技術】
【０００２】
図１にエアコン送風口、ファン等の通風箇所に設置して使用する従来の芳香片１を示す。従来の芳香片１は、そのほとんどが吸収性の低い棉材料や紙材料を採用しており、アロマオイルを芳香片上に付着させ、通風箇所の空気の流動を利用し、アロマオイルの微細分子を発散させるものである。しかしながら、該芳香片は繰り返して使用すると、その繊維部分が長期的にアロマオイルを吸収しているため、繊維の断裂や吸収能力の低下が起こり、目的を達することができなくなることがある。また、該類の材質の芳香片は使用時の効果も低く、例えば、繊維間の隙間が不均等で、空気の流れが滞り、発散速度に大きく影響することがある。また、表面に通気孔を加工した後、材料がアロマオイルを吸収した後の軟化や変色、膨脹等の現象のため、設置に不便であり、効果も劣るため、改良が求められている。
【考案の開示】
【考案が解決しようとする課題】
【０００３】
本考案の発明者は、上述のような従来の構造上の欠点に鑑みて研究を重ね、且つ該事業に従事してきた長年の経験に基づいて、斬新なセラミック芳香片を設計した。
【０００４】
本考案の主な目的は、香りの発散時の面積がより大きく、空気が円滑に通過することができ、香りを迅速に発散するセラミック芳香片を提供することにある。
【０００５】
本考案の別の目的は、アロマオイルをセラミック芳香片に吸着させる際、アロマオイルが迅速且つ均等に吸収されるセラミック芳香片を提供することにある。
【課題を解決するための手段】
【０００６】
上述の目的のため、本考案のセラミック芳香片は、主に各種陶土の特性を利用して調合し、さらに温度を利用して制御することにより、ガラス化させずにセラミック片を薄板状に成形し、内部に多数の小通気孔を設け、大量のアロマオイルの吸収と香りの発散能力を形成すると共に、繰り返し使用でき、その表面に複数個の通気孔を開設し、さらに、通気孔間に、側面から見ると半円形を呈する導油槽を交錯させて形成する。  
【考案の効果】
【０００７】
上述の構造により、セラミック片内部に多数の小通気孔を備えているため、この小通気孔がアロマオイルを保持する空間を大幅に増加し、且つ、セラミック片そのものは硬質の材料であるため、その表面に複数個の通気孔を加工しても材料の軟化や変形を起こさず、設置が困難になることはない。また、通気孔の形状は、方形や円形、各種の不規則な形状等多様に変化させることができ、香りを発散する際の面積を増加することができるだけでなく、空気が迅速に通過し、且つ美観効果も得ることができる。また、別途交錯させて設けた導油槽により、アロマオイルを該導油槽にいれた後、アロマオイルが導油槽の方向に沿ってセラミック片内に迅速に染み入り、均等に吸着させることができる。
【考案を実施するための最良の形態】
【０００８】
以下、本考案の構造、装置及びその特徴について、実施例と図面に基づき、詳細に説明する。
【０００９】
図２、図２Aに示すように、本考案のセラミック芳香片２は、各種陶土の特性を利用して調合し、さらに温度を利用して制御することにより、セラミック芳香片２をガラス化させずに薄板状に成形する。その形状は円形、方形、三角形または不規則な形状に製作可能である。また、その内部に多数の小通気孔３を設け、アロマオイルの保持と香りの発散能力を形成し、且つ繰り返しの使用も可能であり、さらに、該セラミック芳香片２を貫通する複数個の通気孔４を開設する。
【００１０】
図３、図３Aに示すように、該セラミック芳香片２の片側面の通気孔４開口部を漏斗状に加工してもよく、これにより、香りの拡散面積を増加させ、同時に空気の流れをより円滑にすることができる。
【００１１】
図４、図４Aに示すように、通気孔４の間に、さらに導油槽５を交錯させて形成してもよく、該導油槽５は側面からみると半円形を呈する。
【００１２】
図５に本考案のセラミック芳香片２を通風箇所に設置した状態を示す。クリップまたはフック６でセラミック芳香片２を通風箇所に固定することにより、空気がセラミック芳香片２を通過する時、アロマオイルの分子が空気中に拡散される。
【実施例１】
【００１３】
図６に本考案の最良の実施例１を示す。殻体７を製作し、該殻体７の後方に活性炭素フィルター８を設けて吸入する空気を濾過し、該活性炭素フィルター８の前方にファン９及び小さいナイトランプ型式のランプ１０を設置し、さらに、殻体７の前方上下に、セラミック芳香片２を嵌入するための複数の槽部６ａをそれぞれ設ける。使用時には、アロマオイルをセラミック芳香片２に加えて吸着させ、該セラミック芳香片２を槽部６ａ内に設置し、ランプ１０が発する熱を利用し、迅速にアロマオイルの分子を拡散させ、後方のファン９で送風して外部へ吹出すことにより、迅速に香りを散布できる。また異なる槽部６ａに異なる香りのアロマオイルを吸着させた該セラミック芳香片２を設置し、同時に異なる香りを楽しむこともできる。
【実施例２】
【００１４】
図７に本考案の別の実施例を示す。バネまたは硬質ゴム１１を固定座体１２に設置し、さらにセラミック芳香片２を該バネまたは硬質ゴム１１の上端に設置する。この装置を自動車内部に設置することにより、自動車の走行中の揺れに伴い、前記バネまたは硬質ゴム１１も左右に揺れ、セラミック芳香片２に扇子を扇ぎ動かすような動きをさせ、香りを自動車の車内に拡散させることもできる。  
【００１５】
上述のように、本考案のセラミック芳香片は、香りを発散させる際の面積を増加し、空気を迅速に通過させ、香りを迅速に発散させることができる。実用性と進歩性を備えた考案であり、特許法に基づきここに実用新案を出願するものである。
【図面の簡単な説明】
【００１６】
【図１】従来の芳香片の立体斜視図である。
【図２】本考案のセラミック芳香片の上面図である。
【図２Ａ】図２の断面図である。
【図３】通気孔を漏斗状に形成した本考案のセラミック芳香片の上面図である。
【図３Ａ】図３の断面図である。
【図４】導油槽を設けた本考案のセラミック芳香片の上面図である。
【図４Ａ】図４の断面図である。
【図５】本考案セラミック芳香片を通風箇所に設置した状態を示す立体図である。
【図６】本考案の実施例１の立体透視図である。
【図７】本考案の実施例２の立体図である。
【符号の説明】
【００１７】
１      吸収性の低い棉材料や紙材料を以て構成し、アロマオイルを付着させた従来の芳香片
２      セラミック芳香片
３      小通気孔
４      通気孔
５      導油槽
６      クリップまたはフック
７      殻体
８      活性炭素フィルター
９      ファン
１０    ランプ                                                      
６ａ      槽部
１１      バネまたは硬質ゴム
１２      固定座体
【図１】
0003107178.tif 000003
【図２】
0003107178.tif 000004
【図２Ａ】
0003107178.tif 000005
【図３】
0003107178.tif 000006
【図３Ａ】
0003107178.tif 000007
【図４】
0003107178.tif 000008
【図４Ａ】
0003107178.tif 000009
【図５】
0003107178.tif 000010
【図６】
0003107178.tif 000011
【図７】
0003107178.tif 000012